(57)【要約】【課題】  アドレス帳に記憶されていない相手からの着信が生じたとしても、ユーザに誰からの着信であるかを推測させることが可能な通信機器を提供すること。【解決手段】  他の通信機器からの着信時に、当該通信機器を識別する識別子情報を受信する受信部と、外部の検索サイトに、検索ワードと当該検索ワードに基づく検索要求とを送信する送信部と、報知部と、前記受信部が前記識別子情報を受信した場合、前記送信部に前記検索ワードとして前記識別子情報を送信させ、前記受信部が前記検索サイトから前記検索要求に基づく検索結果を受信した場合、当該検索結果を前記報知部に報知させる制御部と、を備える。【選択図】図５
2011199539.tif 000002
【特許請求の範囲】
【請求項１】
他の通信機器からの着信時に、当該通信機器を識別する識別子情報を受信する受信部と、
外部の検索サイトに、検索ワードと当該検索ワードに基づく検索要求とを送信する送信部と、
報知部と、
前記受信部が前記識別子情報を受信した場合、前記送信部に前記検索ワードとして前記識別子情報を送信させ、
前記受信部が前記検索サイトから前記検索要求に基づく検索結果を受信した場合、当該検索結果を前記報知部に報知させる制御部と、
を備える通信機器。
【請求項２】
請求項１に記載の通信機器であって、
前記受信部は、他の電話機からの着信時に、当該他の電話機の識別子情報である電話番号と、通話要求と、を受信し、
前記制御部は、前記通話要求と前記検索結果と、を同時に報知部に報知させる
通信機器。
【請求項３】
請求項１または２に記載の通信機器であって、
識別子情報と、当該識別子情報に対応付けられた名称と、を記憶する第１記憶部を更に備え、
前記制御部は、
前記受信部が前記他の通信機器より着信した場合において、当該着信要求と同時に受信した識別子情報が前記第１記憶部に記憶されているとき、前記受信した識別子情報を前記送信部に送信させず、
前記報知部に、当該識別子情報に対応付けられた前記名称を報知させる
通信機器。
【請求項４】
請求項１から３のいずれかに記載の通信機器であって、
前記識別子情報の一部である特定情報と、当該特定情報に対応付けられた所属情報と、を記憶する第２記憶部を更に備え、
前記制御部は、
前記受信した識別子情報内に前記第２記憶部に記憶された前記特定情報が含まれている場合、当該特定情報に対応付けられた前記所属情報を、前記検索サイトに向けて前記送信部に送信させる
通信機器。
【請求項５】
請求項４に記載の通信機器であって、
前記制御部は、
前記受信部が前記検索サイトから前記検索結果を受信しなかった場合、前記受信部によって受信された識別子情報に含まれる特定情報に対応付けられた所属情報を、前記報知部に報知させる
通信機器。
【請求項６】
請求項２に記載の通信機器であって、
前記制御部は、
前記受信部によって受信された電話番号を所定の長さに分割した上で、当該電話番号を、前記検索サイトへ向けて前記送信部に送信させる
通信機器。
【請求項７】
請求項１から６のいずれかに記載の通信機器であって、
前記受信部は、前記検索サイトから前記検索結果を複数受信し、
前記制御部は、前記受信部が受信した複数の検索結果を、前記報知部に報知させる
通信機器。
【発明の詳細な説明】
【技術分野】
【０００１】
本発明は、通信機能を有する通信機器に関する。
【背景技術】
【０００２】
近年、市場に流通している携帯電話などの通信機器の殆どは、電話番号または電子メールアドレスなどの識別子情報と、当該識別子情報に対応付けられた名称とを記憶するアドレス帳を有している。そして、音声または電子メールの着信が生じた場合、携帯電話は、着信を発生させた識別子情報がアドレス帳内に記録されているか否かを確認し、もしアドレス帳内に前記識別子情報が記録されていたら、当該識別子情報に対応付けられた名前などを、たとえば表示部などの報知部にて報知する（たとえば特許文献１）。
このようにして、従来の携帯電話は、着信が生じた場合、アドレス帳を参照することにより誰からの着信であるかを判断してユーザに報知する。
【先行技術文献】
【特許文献】
【０００３】
【特許文献１】特開２００２−１９０８６０号公報
【発明の概要】
【発明が解決しようとする課題】
【０００４】
しかしながら、特許文献１に記載の技術においては、アドレス帳に記憶されていない相手からの着信が生じた場合、ユーザに誰からの着信であるかを報知できないという問題があった。
本発明は、着信時に発信者に関する情報を好適に報知可能にすることを目的とする。
【課題を解決するための手段】
【０００５】
本発明に係る通信機器は、他の通信機器からの着信時に、当該通信機器を識別する識別子情報を受信する受信部と、外部の検索サイトに、検索ワードと当該検索ワードに基づく検索要求とを送信する送信部と、報知部と、前記受信部が前記識別子情報を受信した場合、前記送信部に前記検索ワードとして前記識別子情報を送信させ、前記受信部が前記検索サイトから前記検索要求に基づく検索結果を受信した場合、当該検索結果を前記報知部に報知させる制御部と、を備える。
【０００６】
更に好適には、本発明に係る通信機器の前記受信部は、他の電話機からの着信時に、当該他の電話機の識別子情報である電話番号と、通話要求と、を受信し、前記制御部は、前記通話要求と前記検索結果と、を同時に報知部に報知させる。
【０００７】
更に好適には、本発明に係る通信機器は、識別子情報と、当該識別子情報に対応付けられた名称と、を記憶する第１記憶部を更に備え、前記制御部は、前記受信部が前記他の通信機器より着信した場合において、当該着信要求と同時に受信した識別子情報が前記第１記憶部に記憶されているとき、前記受信した識別子情報を前記送信部に送信させず、前記報知部に、当該識別子情報に対応付けられた前記名称を報知させる。
【０００８】
更に好適には、本発明に係る通信機器は、前記識別子情報の一部である特定情報と、当該特定情報に対応付けられた所属情報と、を記憶する第２記憶部を更に備え、前記制御部は、前記受信した識別子情報内に前記第２記憶部に記憶された前記特定情報が含まれている場合、当該特定情報に対応付けられた前記所属情報を、前記検索サイトに向けて前記送信部に送信させる。
【０００９】
更に好適には、本発明に係る通信機器の前記制御部は、前記受信部が前記検索サイトから前記検索結果を受信しなかった場合、前記受信部によって受信された識別子情報に含まれる特定情報に対応付けられた所属情報を、前記報知部に報知させる。
【００１０】
更に好適には、本発明に係る通信機器の前記制御部は、前記受信部によって受信された電話番号を所定の長さに分割した上で、当該電話番号を、前記検索サイトへ向けて前記送信部に送信させる。
【００１１】
更に好適には、本発明に係る通信機器の前記受信部は、前記検索サイトから前記検索結果を複数受信し、前記制御部は、前記受信部が受信した複数の検索結果を、前記報知部に報知させる。
【発明の効果】
【００１２】
本発明によれば、着信時に発信者に関する情報を好適に報知可能な通信機器を提供することが可能となる。
【図面の簡単な説明】
【００１３】
【図１】本発明に係る携帯電話機器の外観を示す斜視図である。
【図２】本発明に係る携帯電話機器の機能を示す機能ブロック図である。
【図３】本発明に係る携帯電話機器が無線基地局を介してネットワークに接続される様子を示す模式図である。
【図４】記憶部３３が記憶している情報を模式的に示した図である。
【図５】無線基地局１００を介して通話要求を着信した場合における、携帯電話機器１の制御を示した図である。
【図６】無線基地局１００を介して携帯電話機器１が通話要求を着信した場合における、携帯電話機器１と無線基地局１００とのＴＤＭＡ通信におけるスロットを模式的に示した図である。
【図７】無線基地局１００を介して携帯電話機器１が通話要求を着信した場合における、表示部２１の様子を示した図である。
【発明を実施するための形態】
【００１４】
以下、本発明の実施の形態について説明する。図１は、本発明に係る通信機器の一例である携帯電話機器１の外観斜視図である。
【００１５】
図１に示すように、携帯電話機器１は、フロントケース２ａとリアケース２ｂにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００１６】
操作部側筐体部２は、フロントケース２ａの表面側に露出するように配設される操作ボタン群１１と音声入力部１２とを有して構成される。操作ボタン群１１は、各種設定や電話帳機能やメーラー機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。
音声入力部１２は、携帯電話機器１のユーザが通話時に発した音声を入力するために用いられるマイクである。具体的には、携帯電話機器１が他の電話機と音声通信を行っている場合、音声入力部１２は、携帯電話機器１のユーザによって入力された音声を音声データに変換する。そして当該音声データは、送信部３２等を介して、前記他の電話機に送信される。
【００１７】
また、操作部側筐体部２の側面には、イヤホンコネクタキャップ１６と、ＰＣなどと通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。また、操作部側筐体部２のリアケース２ｂ側には不図示のスピーカ２４が配されている。スピーカ２４は、たとえば、通話の着信が生じた場合などに、当該着信をユーザに報知する報知音を発生させる。
【００１８】
表示部側筐体部３は、各種情報を表示するための表示部２１と、通話の相手側の音声を出力する音声出力部２２とを有して構成される。また、表示部側筐体部３の上端部には、他の携帯電話機器等との間で赤外線通信を行うための通信部２３が設けられている。
音声出力部２２は、携帯電話機器１に対して通話要求を行った電話機にて入力された音声を出力するために用いられるスピーカである。具体的には、携帯電話機器１が他の電話機と音声通信を行っている場合、音声出力部２２は、他の電話機から送信されてきた音声データを音声に変換して出力する。
表示部２１は、たとえばＬＣＤ（Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ  Ｌｕｍｉｎｅｓｃｅｎｃｅ  Ｄｉｓｐｌａｙ）などで構成され、制御部３５による制御に基づいて各種表示を行う。具体的には、受信部３１が無線基地局１００から通話要求を着信した場合、当該通話要求に基づいて、制御部３５は現在携帯電話機器１が着信中の状態であることを示す表示を表示部２１に行わせる。
【００１９】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り換えることができるように構成されている。
【００２０】
なお、本実施形態においては、通信機器の一例としてヒンジ機構４を介して操作部側筐体部２と表示部側筐体部３とが相対的に動く、いわゆる折り畳み式の携帯電話機器１を挙げているが、本発明は、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とが２軸ヒンジを介して連結したもの、さらには、操作部側筐体部２と表示部側筐体部３とが一つの筐体に配置されたもの（いわゆる、ストレートタイプ）であっても適用可能である。
【００２１】
図２は、携帯電話機器１の構成を示したブロック図である。携帯電話機器１は、前述したスピーカ２４、表示部２１、操作部１１、音声入力部１２および音声出力部２２の他に、受信部３１、送信部３２、記憶部３３および制御部３５を内部に備えている。
受信部３１は、アンテナおよびＲＦ回路によって構成され、外部に存在する無線基地局１００からデータを受信する。また、送信部３２も、受信部３１と同様にアンテナおよびＲＦ回路によって構成され、外部に存在する無線基地局１００に対してデータを送信する。受信部３１および送信部３２と、無線基地局１００との具体的な通信については、後に図３を用いて詳述する。
記憶部３３は、たとえば、ＮＡＮＤフラッシュメモリなどで構成される不揮発性メモリである。記憶部３３は、具体的には、携帯電話機器１にて実行されるソフトウェアプログラムなどを記憶する。さらに、記憶部３３は、第１記憶部３３ａおよび第２記憶部３３ｂを内部に有する。第１記憶部３３ａおよび第２記憶部３３ｂについては後に図４を用いて詳述する。
【００２２】
制御部３５は、たとえばＣＰＵ（Ｃｅｎｔｒａｌ  Ｐｒｏｃｅｓｓｉｎｇ  Ｕｎｉｔ）などによって構成され、前述した表示部２１、スピーカ２４、操作部１１、音声入力部１２、音声出力部２２、記憶部３３、受信部３１および送信部３２を制御する。具体的には、制御部３５は、受信部３１が特定のデータを受信した場合や操作部１１に対して特定の操作が行われた場合に、記憶部３３に記憶されているソフトウェアプログラムに基づいて、送信部３２に特定のデータを送信させたり、表示部２１またはスピーカ２４に特定の報知を行わせたりする。
【００２３】
また、音声入力部１２は、受信部３１が他の電話機から通話要求を受信し、表示部２１またはスピーカ２４が通話要求を受信していることを通知する報知を行っている場合において、操作部１１がオフフックの操作を受け付けたとき、ユーザの発する音声の入力を開始する。そして、送信部３２は、制御部３５の制御に基づいて音声入力部１２から入力された音声の情報を、通話要求を発した電話へ向けて送信する。
音声出力部２２は、音声入力部１２と同様に、受信部３１が他の電話機から通話要求を受信し、表示部２１またはスピーカ２４が通話要求を受信していることを通知する報知を行っている場合において、操作部１１がオフフックの操作を受け付けたとき、通話要求を発した電話から受信部３１へ向けて送信されてきた音声のデータを、音声に変換した上で出力する。
【００２４】
図３は、携帯電話機器１が接続されているネットワークを模式的に示した図である。複数の携帯電話機器１（携帯電話機器１ａ、携帯電話機器１ｂ）は、それぞれが有する受信部３１および送信部３２によって無線基地局１００と通信を行い、そして無線基地局１００は、インターネット１０１を経由して検索サイトＷｅｂサーバー２００と通信が可能となる。
【００２５】
受信部３１および送信部３２は、ＴＤＭＡ（Ｔｉｍｅ  Ｄｉｖｉｓｉｏｎ  Ｍｕｌｔｉｐｌｅ  Ａｃｃｅｓｓ）方式にて無線基地局１００と通信を行う。ＴＤＭＡ方式とは、０．６２５ｍｓｅｃの時間幅を有するスロットを１単位として、無線基地局１００から受信部３１に対して、最大４スロット、送信部３２から無線基地局１００に対して最大４スロットが設けられることにより行われる通信方式である（図６参照）。受信部３１および送信部３２は、無線基地局１００と前述したスロットを単位として、たとえばＱＰＳＫ（Ｑｕａｄｒａｔｕｒｅ  Ｐｈａｓｅ  Ｓｈｉｆｔ  Ｋｅｙｉｎｇ）などの変調方式にてデジタルデータを送受信する。また、受信部３１および送信部３２は、具体的には、大別して音声データとデータ通信用のデータとを、無線基地局１００との間でやりとりする。音声データとは、携帯電話機器１において電話機能が使用される際に受信する他の電話機にて入力された音声データのことである。また、データ通信用データとは、受信部３１がインターネット１０１または検索サイトＷｅｂサーバー２００などから受信するＷｅｂサイトの情報や、Ｅメールの情報のことである。また、受信部３１は、他の携帯電話機器などから音声データを受信する際、当該音声データを受信する前に、他の携帯電話機器から通話要求および電話番号のデータを受信する。
【００２６】
検索サイトＷｅｂサーバー２００は、インターネット１０１に接続されているＷｅｂサーバーであり、クライアント機器から検索ワードと当該検索ワードに基づく検索要求をインターネット１０１経由で受け付けると、当該検索ワードに関連したＷｅｂサイトの情報をクライアント機器に対してインターネット１０１経由で送出する。具体的には、たとえば送信部３２によって送出された検索ワードが、無線基地局１００およびインターネット１０１を介して検索サイトＷｅｂサーバー２００へ送信されると、検索サイトＷｅｂサーバー２００は、前記検索要求および前記検索ワードに基づいた検索結果を、インターネット１０１および無線基地局１００を介して携帯電話機器１へ送出する。携帯電話機器１と検索サイトＷｅｂサーバー２００とのやり取りについては、後に詳述する。
【００２７】  図４（ａ）は、第１記憶部３３ａが記憶している情報を模式的に示した図である。第１記憶部３３ａは、名前と、当該名前に対応した電話番号と記憶する。そして、第１記憶部３３ａは、前述した電話番号と名前のペアを複数個記憶する。つまり、第１記憶部３３ａは、アドレス帳を記憶する。本実施形態では、第１記憶部３３ａは、名称「（公序良俗違反につき、不掲載）  太郎」と電話番号「０９０−１１１１−２２２２」とのペア、名称「（公序良俗違反につき、不掲載）  次郎」と電話番号「０４５−３３３３−４４４４」とのペア、名称「（公序良俗違反につき、不掲載）  花子」と電話番号「０７０−５５５５−６６６６」とのペア、が記憶されているものとする。
【００２８】
図４（ｂ）は、第２記憶部３３ｂが記憶している内容を模式的に示した図である。第２記憶部３３ｂは、たとえば、携帯電話であることを示す電話番号の一部である「０９０」、ＰＨＳ（Ｐｅｒｓｏｎａｌ  Ｈａｎｄｙ−ｐｈｏｎｅ  Ｓｙｓｔｅｍ）であることを示す電話番号の一部である「０７０」、発信される場所を特定する「０３」や「０４５」などの市外局番などを記憶する。そして、たとえば前述した「０９０」に対しては「携帯電話」、「０７０」に対しては「ＰＨＳ」、「０４５」に対しては「横浜市」、などの所属情報を対応付けて記憶する。以下、これら所属情報と対応付けられた「０９０」、「０７０」、「０３」および「０４５」などの電話番号の一部を特定情報と称す。
【００２９】
図５は、無線基地局１００を介して通話要求を受信した場合における、携帯電話機器１の制御を示した図である。また、図６は、無線基地局１００を介して携帯電話機器１が通話要求を受信した場合における、携帯電話機器１と無線基地局１００とのＴＤＭＡ通信におけるスロットを模式的に示した図である。また、図７は、無線基地局１００を介して携帯電話機器１が通話要求を受信した場合における、表示部２１の様子を示した図である。
【００３０】
以下、図５、図６および図７を用いて、無線基地局１００を介して通話要求を受信した場合の、携帯電話機器１における処理を、「受信した電話番号が第１記憶部３３ａに存在する場合」、「受信した電話番号が第１記憶部３３ａに存在せず、検索サイトＷｅｂサーバー２００から検索結果を所定期間内に受信した場合」、または「受信した電話番号が第１記憶部３３ａに存在せず、検索サイトＷｅｂサーバー２００から検索結果を所定期間内に受信しなかった場合」の３つの場合に分けて説明する。
【００３１】
＜受信した電話番号が第１記憶部３３ａに存在する場合＞
以下、この場合においては、第１記憶部３３ａに記憶されている電話番号「０９０−１１１１−２２２２」を有する電話機より着信（通話要求）があったものとして説明する。
受信部３１は、他の電話機から電話番号「０９０−１１１１−２２２２」および通話要求を受信する（ステップＳ１）。具体的には、受信部３１は、電話番号および通話要求を、１つのスロットが用いられることによって、無線基地局１００を介して電話番号および通話要求を受信する（図６：タイミングＴ１）。なお、無線基地局１００は、操作部１１がオフフックの操作を受け付けない限り、当該通話要求を携帯電話機器１へ向けて送信し続ける（図６：タイミングＴ９、タイミングＴ１７）。
【００３２】  タイミングＴ１において、受信部３１が電話番号および通話要求を受信した後、制御部３５は、受信した電話番号が第１記憶部３３ａに記憶されているか否かを判定する（ステップＳ２）。今回の場合においては、第１記憶部３３ａに記憶されている電話番号「０９０−１１１１−２２２２」を受信したので（ステップＳ２／ＹＥＳ）、制御部３５は、第１記憶部３３ａに記憶されていた電話番号「０９０−１１１１−２２２２」に対応付けられた名称「（公序良俗違反につき、不掲載）  太郎」を取得する（ステップＳ３）。
【００３３】  ステップＳ３において、第１記憶部３３ａに記憶されていた名称「（公序良俗違反につき、不掲載）  太郎」を取得した後、制御部３５は、表示部２１に取得した名称「（公序良俗違反につき、不掲載）  太郎」を表示させる（ステップＳ４）。図７（ａ）は、ステップＳ４における表示部２１の様子を示した図である。図７（ａ）に示したように、表示部２１は、第１記憶部３３ａの記憶内容に基づいて、「（公序良俗違反につき、不掲載）  太郎」より通話要求を受信している最中であることを表示する（ステップＳ４）。
【００３４】
表示部２１が図７（ａ）に示す表示を行っている場合において、操作部１１がユーザよりオフフックの操作を受け付けると（ステップＳ５／ＹＥＳ）、制御部３５は通話処理を開始する（ステップＳ６）。具体的には、制御部３５は、音声入力部１２にユーザの音声入力を開始させ、音声出力部２２に、通話要求を携帯電話機器１に対して行った電話機にて入力された音声を出力させる。
このようにして、携帯電話機器１は、着信（通話要求）が誰からあったかを、第１記憶部３３ａの記憶内容に基づいて、ユーザがオフフックする前にユーザに通知することが可能となる。
【００３５】
＜受信した電話番号が第１記憶部３３ａに存在せず、所定期間内に検索サイトＷｅｂサーバー２００から検索結果を受信した場合＞
以下、この場合においては、第１記憶部３３ａに記憶されていない電話番号「０４５−７７７−８８８８」を有する電話機より着信（通話要求）があったものとして説明する。
受信部３１は、他の電話機から電話番号「０４５−７７７−８８８８」および通話要求を受信する（ステップＳ１）。具体的には、受信部３１は、電話番号および通話要求を、１つのスロットが用いられることによって、無線基地局１００を介して電話番号および通話要求を受信する（図６：タイミングＴ１）。なお、無線基地局１００は、操作部１１がオフフックの操作を受け付けない限り、当該通話要求を携帯電話機器１へ向けて送信し続ける（図６：タイミングＴ９、タイミングＴ１７）。
【００３６】
タイミングＴ１において、受信部３１が電話番号および通話要求を受信した後、制御部３５は、受信した電話番号が第１記憶部３３ａに記憶されているか否かを判定する（ステップＳ２）。今回の場合においては、第１記憶部３３ａに記憶されていない電話番号「０４５−７７７−８８８８」を受信したので（ステップＳ２／ＮＯ）、「３５」は、検索ワードの作成を開始する（ステップＳ７）。
【００３７】
具体的には、ステップＳ７において、制御部３５は、受信部３１が受信した電話番号から特定情報を抽出する。今回の場合においては、制御部３５は、受信した電話番号「０４５−７７７−８８８８」内に含まれる特定情報「０４５」を抽出する。次に、制御部３５は、抽出した特定情報「０４５」に基づいて、第２記憶部３３ｂから所属情報を抽出する。具体的には、第２記憶部３３ｂにおいて、「０４５」という特定情報は、「横浜市」という所属情報が対応付けられて記憶されているため、制御部３５は、「横浜市」という所属情報を抽出する。
【００３８】
「横浜市」という所属情報が制御部３５によって抽出された後、送信部３２は、受信部３１が受信した電話番号「０４５−７７７−８８８８」と抽出した「横浜市」の二つの情報を、検索サイトＷｅｂサーバー２００へ向けて、検索ワードとして送信する（ステップＳ８）。また、送信部３２は、前記検索ワードと同時に、当該検索ワードによる検索を、検索サイトＷｅｂサーバー２００へ要求する検索要求も送信する。
具体的には、送信部３２は、タイミングＴ１における受信スロットにおいて電話番号および通話要求を受信した後、タイミングＴ５における送信スロットにおいて、前述した二つの検索ワードおよび検索要求を無線基地局１００に対して送信する。そして、これら二つの検索ワードを、検索サイトＷｅｂサーバー２００へ向けて無線基地局１００に送信させることにより、送信部３２は、検索ワードを検索サイトＷｅｂサーバー２００に向けて送信する。
なお、本実施形態においては、タイミングＴ５において検索ワードが送信部３２から無線基地局１００へ送信される実施例を示したが、タイミングＴ１より後のタイミングであれば、検索ワードはいつ送信されてもよい。
【００３９】
検索サイトＷｅｂサーバー２００は、無線基地局１００を介して携帯電話機器１から検索ワードおよび検索要求を受信すると、当該検索ワードに基づいてインターネット１０１上に存在するＷｅｂページの検索を開始する。そして、前記検索要求および前記検索ワードに基づいた検索結果を、インターネット１０１および無線基地局１００を介して携帯電話機器１へ送出する。
【００４０】
制御部３５は、送信部３２が検索ワードをおよび検索要求を無線基地局１００へ送信した後、不図示のタイマを動作し、所定期間（たとえば５０００ｍｓｅｃ）が経過したか否かの監視を始める。そして、制御部３５は、タイマが計測した所定期間内に、受信部３１が検索サイトＷｅｂサーバー２００から検索結果を受信したか否かを判定する（ステップＳ９）。今回の場合においては、受信部３１は、所定期間内に無線基地局１００を介して検索サイトＷｅｂサーバー２００より検索結果を受信するので（ステップＳ９／ＹＥＳ）、制御部３５は、ステップＳ４の処理を行う。
【００４１】
また、図６を用いて、受信部３１が所定期間内に無線基地局１００を介して検索サイトＷｅｂサーバー２００より検索結果を受信する態様を説明すると、無線基地局１００は、通話要求を送信するスロット（タイミングＴ９におけるスロット）とは異なるスロットにて検索結果を受信部３１へ向けて送信する（タイミングＴ１０）。なお、検索結果を送信するスロットは、通話要求を送信するスロット以外のスロットであれば何でもよいので、たとえばタイミングＴ１１のスロット、タイミングＴ１２のスロット、タイミングＴ１８のスロット、タイミングＴ１９のスロット、またはタイミングＴ２０のスロットにおいて検索結果が無線基地局１００から受信部３１へ向けて送信されてもよいのは勿論である。
【００４２】
受信部３１によって検索サイトＷｅｂサーバー２００から検索結果を受信した後、制御部３５は、表示部２１に受信した検索結果を表示させる（ステップＳ４）。図７（ｂ）は、検索サイトＷｅｂサーバー２００から受信した検索結果を表示した表示部２１を示した図である。表示部２１は、電話番号「０４５−７７７−８８８８」を有する電話機から通話要求を受信している最中である旨を、「０４５−７７７−８８８８」「横浜市」という検索ワードに対する検索結果と同時に表示する。
【００４３】
そして、表示部２１が図７（ｂ）に示す表示を行っている場合において、操作部１１がユーザよりオフフックの操作を受け付けると（ステップＳ５／ＹＥＳ）、制御部３５は通話処理を開始する（ステップＳ６）。具体的には、制御部３５は、無線基地局１００を介して通話要求を発した電話機に対してオフフックの操作が行われた旨を送信する（タイミングＴ２１）。そして、制御部３５は、音声入力部１２にユーザの音声入力を開始させ、音声出力部２２に、通話要求を携帯電話機器１に対して行った電話機にて入力された音声を出力させる。
【００４４】
このようにして、ユーザは、第１記憶部３３ａに記憶されていない相手から通話要求（着信）を受信したとしても、当該通話要求を発した電話がどのような電話であるかを検索サイトＷｅｂサーバー２００の検索内容に基づいて推測することが可能となる。したがって、携帯電話機器１は、アドレス帳（第１記憶部３３ａ）に記憶されていない相手からの着信（通話要求）が生じたとしても、ユーザに誰からの着信であるかを知らせることを出来る。
【００４５】
なお、受信部３１が受信する検索結果および、表示部２１が表示する検索結果は、たとえば図７（ｂ）に示すように、「●●株式会社ホームページ」「電話帳サイト」「▲▲商工会  会員一覧」と複数であってもよい。
表示部２１によって、このように複数の検索結果が表示されることによって、ユーザは、より多数の検索結果に基づいて、通話要求を発した電話がどのような電話であるかを知ることが可能となる。
【００４６】
＜受信した電話番号が第１記憶部３３ａに存在せず、所定期間内に検索サイトＷｅｂサーバー２００から検索結果を受信しなかった場合＞
以下、この場合においては、第１記憶部３３ａに記憶されていない電話番号「０７５−１１１−２２２２」を有する電話機より着信（通話要求）があったものとして説明する。
受信部３１は、他の電話機から電話番号「０４５−７７７−８８８８」および通話要求を受信する（ステップＳ１）。具体的には、受信部３１は、電話番号および通話要求を、１つのスロットが用いられることによって、無線基地局１００を介して電話番号および通話要求を受信する（図６：タイミングＴ１）。なお、無線基地局１００は、操作部１１がオフフックの操作を受け付けない限り、当該通話要求を携帯電話機器１へ向けて送信し続ける（図６：タイミングＴ９、タイミングＴ１７）。
【００４７】
タイミングＴ１において、受信部３１が電話番号および通話要求を受信した後、制御部３５は、受信した電話番号が第１記憶部３３ａに記憶されているか否かを判定する（ステップＳ２）。今回の場合においては、第１記憶部３３ａに記憶されていない電話番号「０７５−１１１−２２２２」を受信したので（ステップＳ２／ＮＯ）、「３５」は、検索ワードの作成を開始する（ステップＳ７）。
【００４８】
具体的には、ステップＳ７において、制御部３５は、受信部３１が受信した電話番号から特定情報を抽出する。今回の場合においては、制御部３５は、受信した電話番号「０７５−１１１−２２２２」内に含まれる特定情報「０７５」を抽出する。次に、制御部３５は、抽出した特定情報「０７５」に基づいて、第２記憶部３３ｂから所属情報を抽出する。具体的には、第２記憶部３３ｂにおいて、「０７５」という特定情報は、「京都市」という所属情報が対応付けられて記憶されているため、制御部３５は、「京都市」という所属情報を抽出する。
【００４９】
「京都市」という所属情報が制御部３５によって抽出された後、送信部３２は、受信部３１が受信した電話番号「０７５−１１１−２２２２」と抽出した「京都市」の二つの情報を、検索サイトＷｅｂサーバー２００へ向けて、検索ワードとして送信する（ステップＳ８）。また、送信部３２は、前記検索ワードと同時に、当該検索ワードによる検索を、検索サイトＷｅｂサーバー２００へ要求する検索要求も送信する。
【００５０】
具体的には、送信部３２は、タイミングＴ１における受信スロットにおいて電話番号および通話要求を受信部３１が受信した後、タイミングＴ５における送信スロットにおいて、前述した二つの検索ワードおよび検索要求を無線基地局１００に対して送信する。そして、これら二つの検索ワードおよび検索要求を、検索サイトＷｅｂサーバー２００へ向けて無線基地局１００に送信させることにより、送信部３２は、検索ワードおよび検索要求を検索サイトＷｅｂサーバー２００に向けて送信する。
なお、本実施形態においては、タイミングＴ５において検索ワードおよび検索要求が送信部３２から無線基地局１００へ送信される実施例を示したが、タイミングＴ１より後のタイミングであれば、検索ワードはいつ送信されてもよい。
【００５１】
検索サイトＷｅｂサーバー２００は、無線基地局１００を介して携帯電話機器１から検索ワードおよび検索要求を受信すると、当該検索ワードに基づいてインターネット１０１上に存在するＷｅｂページの検索を開始する。
【００５２】
制御部３５は、送信部３２が検索ワードを無線基地局１００へ送信した後、不図示のタイマを動作し、所定期間（たとえば１０００ｍｓｅｃ）が経過したか否かの監視を始める。そして、タイマが計測した所定期間内に、受信部３１が検索サイトＷｅｂサーバー２００から検索結果を受信したか否かを判定する（ステップＳ９）。今回の場合においては、受信部３１は、所定期間内に無線基地局１００を介して検索サイトＷｅｂサーバー２００より検索結果を受信しないので（ステップＳ９／ＮＯ）、制御部３５は、ステップＳ４の処理を行う。
【００５３】
なお、本実施形態においては、所定期間内に検索結果を受信しなかった場合に、制御部３５の処理がステップＳ１０に進むとしているが、実施形態はこれに限られない。たとえば、受信部３１は、所定期間内に検索サイトＷｅｂサーバー２００から検索結果を受信したものの、当該検索結果が０件であった場合であっても、制御部３５はステップＳ１０の処理を行うようにしてもよい。
【００５４】
検索結果を検索サイトＷｅｂサーバー２００から受信しなかった制御部３５は、ステップＳ７において抽出した所属情報「京都市」を、表示部２１へ表示する情報としてセットする（ステップＳ１０）。そして、ステップＳ１０によって、表示部２１にて表示する情報をセットし終えたら、制御部３５は、ステップＳ４の操作を開始する。
【００５５】
ステップＳ４において、制御部３５は、第２記憶部３３ｂに記憶された所属情報を表示部２１に表示させる。図７（ｃ）は、第２記憶部３３ｂに記憶された所属情報を表示した表示部２１を示した図である。表示部２１は、電話番号「０７５−１１１−２２２２」を有する電話機から通話要求を受信している最中である旨の表示を、当該通話要求を京都市から受信しているという表示と同時に行う。
【００５６】
このようにして、ユーザは、第１記憶部３３ａに記憶されていない相手から通話要求（着信）を受信し、且つ検索サイトＷｅｂサーバー２００から検索結果を受信しなくても、当該通話要求を発した電話がどのような電話であるかを第２記憶部３３ｂに記憶された内容に基づいて推測することが可能となる。したがって、携帯電話機器１は、アドレス帳（第１記憶部３３ａ）に記憶されていない相手からの着信（通話要求）が生じたとしても、ユーザに誰からの着信であるかを推測させることを出来る。
【００５７】
なお、図７（ａ）、図７（ｂ）および図７（ｃ）に示したように、前述した実施形態では、表示部２１が検索結果、第１記憶部３３ａに記憶された名称、または第２記憶部３３ｂに記憶された所属情報を報知する態様が示されているものの、実施形態はこれに限られない。たとえば、スピーカ２４が着信音を変更したり、音声通知したりすることによって、検索結果、名称、または所属情報を報知してもよい。
【００５８】
なお、受信部３１は、電話番号を、たとえば「０４５７７７８８８８」のように区切れのない電話番号として受信する場合がある。この場合、送信部３２は、前述したステップＳ８において電話番号を送信する場合、受信した電話番号を好適に所定の長さに分割した上で、当該電話番号を送信してもよい。具体的には、たとえば受信部３１が、「０４５７７７８８８８」という電話番号を受信した場合、特定情報である市外局番０４５と、市内局番である７７７と、加入者番号である８８８８と、をハイフンで区切った「０４５−７７７−８８８８」を、送信部３２は検索ワードとして送信してもよい。
【００５９】
なお、本実施形態において、携帯電話機１は、ＴＤＭＡ方式にて無線基地局１００と通信を行っているものの、通信方式はこれに限られない。たとえば、通信方式は、ＴＤＭＡ方式の他に、ＣＤＭＡ（Ｃｏｄｅ  Ｄｉｖｉｓｉｏｎ  Ｍｕｌｔｉｐｌｅ  Ａｃｃｅｓｓ）方式、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式などであってもよい。
【００６０】
なお、本実施形態において、送信部３２は、所属情報および電話番号の複数の情報を、検索サイトＷｅｂサーバー２００に送信する際、これら複数の情報をａｎｄ条件、ｏｒ条件どちらの条件で送信しても良い。
【００６１】
なお、本実施形態において、表示部２１が、少なくとも操作部１１に対してオフフックの操作が行われる前に図７に示す表示を行う態様を示したものの、操作部１１に対してオフフックの操作が行われた後も、表示部２１は引き続き検索結果を表示し続けてもよい。
【００６２】
なお、本実施形態において、表示部２１が、少なくとも操作部１１に対してオフフックの操作が行われる前に検索結果を表示する態様を示したものの、たとえば着信履歴、またはアドレス帳に前記検索結果を表示するようにしてもよい。
【００６３】
なお、本実施形態において、携帯電話機１が、他の電話機より通話要求があった実施例を示したものの、本発明の実施形態はこれに限られない。たとえば、携帯電話機１は、他の通信機器より電子メール及び電子メールアドレス（識別子情報）を受信（着信）した場合であってもよい。
この場合において、他の通信機器より電子メールおよび電子メールアドレスを受信する場合、携帯電話機１の送信部３２は、検索ワードとして電子メールアドレスを検索サイトに向けて送信する。そして、制御部３５は、検索サイトより当該電子メールアドレスを検索ワードとしたときの検索結果を受信した場合、表示部２１などの報知部に、当該受信した検索結果を表示させる。
【００６４】
また、識別子情報として電子メールアドレスを受信した場合に当該電子メールアドレスが携帯電話機１内の第１記憶部３３ａに所定の名称に対応付けられて記憶されていたとき、制御部３５は、前記送信部３２に、前記電子メールアドレスを検索サイトＷｅｂサーバー２００に向けて送信させずに、表示部２４に前記所定の名称を表示させてもよい。
【００６５】
また、たとえば、第２記憶部３３ｂには、特定情報として電子メールアドレスのドメイン名、前記特定情報に対応付けられた所属情報として前記ドメイン名を有するプロバイダ名が記憶されていてもよい。第２記憶部３３ｂに、このようにドメイン名とプロバイダ名とが記憶されている場合において識別子情報として電子メールアドレスを受信したとき、制御部３５は、検索ワードとして電子メールアドレスおよび当該電子メールアドレスに対応付けられたプロバイダ名の少なくとも一方を、前記送信部３２に送信させても良い。
【００６６】
また、識別子情報として電子メールアドレスを受信し、当該電子メールアドレスおよび所属情報を検索ワードとして検索サイトＷｅｂサーバー２００に送信した場合において、検索サイトＷｅｂサーバー２００から検索結果が送信されなかったとき、制御部３５は、前記所属情報を表示部２１等の報知部に報知させてもよい。
【００６７】
また、検索ワードとして電子メールアドレスおよび所属情報の少なくとも一方を検索サイトＷｅｂサーバー２００に向けて送信した場合、受信部３１は、検索サイトＷｅｂサーバー２００から複数の検索結果を受信し、そして表示部２１などの報知部は、前記複数の検索結果を報知するようにしてもよい。
【符号の説明】
【００６８】
１２  音声入力部    ２１  表示部（報知部）    ２２  音声出力部    ２４  スピーカ（報知部）    ３１  受信部    ３２  送信部    ３３ａ  第１記憶部    ３３ｂ  第２記憶部    ３５  制御部    ２００  検索サイトＷｅｂサーバー
【図１】
2011199539.tif 000003
【図２】
2011199539.tif 000004
【図３】
2011199539.tif 000005
【図４】
2011199539.tif 000006
【図５】
2011199539.tif 000007
【図６】
2011199539.tif 000008
【図７】
2011199539.tif 000009